(57)【要約】【課題】吊線付きケーブルを用いて吊架する場合において、通信ケーブルを湾曲させる必要がなく、かつ吊架を簡単かつ確実に実行できる通信ケーブルの吊架技術を提供すること。【解決手段】吊線付きケーブル３０６を電柱２００に取り付けるためのケーブル吊架具１である。このケーブル吊架具１は、吊線付きケーブル３０６の少なくとも一部分を包み込み前記ケーブル３０６の長手方向に伸縮自在な３と、筒状部３の伸縮動作を補助する補助部としての針金５とを有する。【選択図】図２
2005137153.tif 000002
【特許請求の範囲】
【請求項１】
電柱間に通信ケーブルを吊架するにあたり、前記通信ケーブルを前記電柱に取り付けるための通信ケーブル吊架具であって、前記通信ケーブルの少なくとも一部分を包み込み前記通信ケーブルの長手方向に伸縮自在にされる筒状部と、当該筒状部の伸縮動作を補助する補助部とを有することを特徴とする通信ケーブル吊架具。
【請求項２】
前記筒状部は、超高分子量ポリエチレンを原料にする繊維材を編組して形成したことを特徴とする請求項１に記載の通信ケーブル吊架具。
【請求項３】
前記補助部は、前記筒状部の長手方向に延びる金具であることを特徴とする請求項２に記載の通信ケーブル吊架具。
【請求項４】
前記金具は前記電柱に掛止するための掛止部を有する針金であることを特徴とする請求項３又は４に記載の通信ケーブル吊架具。
【請求項５】
前記掛止部は、前記針金をその中央部で輪っか部とし、当該輪っか部を、前記筒状部から突出させたものであることを特徴とする請求項４記載の通信ケーブル吊架具。
【請求項６】
前記筒状部に内嵌される管体を有することを特徴とする請求項２記載の通信ケーブル吊架具。
【請求項７】
前記請求項１〜６に記載の通信ケーブル吊架具を用いて通信ケーブルを電柱に取り付ける通信ケーブル吊架方法。
【請求項８】
次の（１）〜（４）のステップを有する請求項７に記載の通信ケーブル吊架方法。
（１）通信ケーブル吊架具の筒状部を補助部に沿って中央側に寄せて収縮させるステップ。
（２）この状態で通信ケーブルを筒状部に挿入するステップ。
（３）その後筒状部を伸張させて、筒状部で通信ケーブルを包み込むステップ。
（４）通信ケーブルを包み込んだ通信ケーブル吊架具を電柱に取り付けるステップ。
【発明の詳細な説明】
【技術分野】
【０００１】
本発明は、通信ケーブル吊架具及び通信ケーブル吊架方法に関するものである。
【背景技術】
【０００２】
同軸ケーブル、光ケーブル、丸ケーブル等の各種通信ケーブルの電柱への吊架方法として、図９に示すように、電柱２００同士の間に鋼製の吊線（メッセジャーワイヤ）２０２を架設し、その吊線２０２に平行にかつスパイラルに延びるいわゆるスパイラルハンガーと呼称されるケーブル支持線２０３の中空２０３ａに各種通信ケーブル２０４を通線する方法がある。
【０００３】
この場合、通信ケーブル２０４を取り付ける吊線２０２以外にケーブル支持線２０３を使用するので、それだけ作業手順が増えて面倒になるという問題がある。
そこで、図１０に示すように吊線３０６ａ’を被覆材で被覆してなる吊線部分３０６ａと光ファイバー３０６ｂ’を被覆材で被覆してなる通信ケーブル部分３０６ｂとを予め一体化して形成した吊線付きケーブル３０６を用い、この吊線付きケーブル３０６を、図１１に示すように電柱２００に装着される金具、いわゆる装柱３０８や引留具３１０を介して電柱間で吊架する吊架工法が提案されている。この場合、吊線に通信ケーブルがすでに取り付けられている状態にあるので、既述のように吊線に通信ケーブルを取り付ける手間は省ける。しかしながらこの場合次のような問題がある。
【０００４】
すなわち、電柱２００に吊線付きケーブル３０６を取着するに当たり、吊線部３０６ａ及び通信ケーブル３０６ｂを一部で分離した状態にし（図１２参照）、当該状態の吊線付きケーブル３０６のうち前記分離された吊線部分３０６ａを引留具３１０に巻き付け（図１１参照）、当該引留具３１０を電柱２００の前記装柱３０８に掛止することで吊線付きケーブルを吊架するが、この時、通信ケーブルが光ファイバーでできたものであると、これを大きな曲率でり折り曲げたりすることは光ファイバーの材質上無理がある。
【０００５】
また吊線部分３０６ａを引留具３１０に巻き付けると、その分、通信ケーブル部分３０６ｂが吊線部分３０６ａよりも長くなるため、通信ケーブル部分３０６ｂを湾曲させても支障のない小さな曲率で通信ケーブル部分３０６ｂを湾曲させる必要が生じる（図１１参照）。
【０００６】
ところが、当該湾曲部分３０６ｂ”をカラス等の野鳥が営巣を行う際に巣材の対象とし、その嘴で通信ケーブル部分３０６ｂを折り曲げてしまうという鳥害を招来したり、他の通信ケーブルの取付作業の邪魔になったりするという問題があった。
【０００７】
また、電柱間に吊線付きケーブル３０６を吊架する場合、図１３に示すように繰り出しドラム（図示せず）から吊線付きケーブル３０６を作業者が繰り出すようになっているが、ケーブル３０６を送り出し易くするために、各電柱２００にはケーブル３０６をガイドする金車と呼ばれる繰り出しローラ３１４が取り付けられている。この繰り出しローラ３１４を経由して吊線付きケーブル３０６が電柱間に吊架される。
【０００８】
図１４は繰り出しローラ３１４の全体斜視図である。図１４に示すように、繰り出しローラ３１４は、鼓状のローラ部３１８と、ローラ部３１８の両端を回転自在に支持する二股状をした脚部３２０とからなる。吊線付きケーブル３０６はローラ部３１８に当接した状態で送り出されるが、ケーブル３０６がローラ部３１８から外れると、ケーブル３０６が、ローラ部３１８の端部３１８ａと脚部３２０との間の隙間Ｓに挟まってしまい（図１
４の二点鎖線参照）ケーブル３０６の繰り出しができなくなってしまったり、ケーブル３０６が断芯してしまうといった虞があった。
【発明の開示】
【発明が解決しようとする課題】
【０００９】
本発明はこのような実情に鑑みて為されたものであり、その解決しようとする課題は、通信ケーブルを用いて吊架する場合において、通信ケーブルを湾曲させる必要がなく、かつ吊架を簡単かつ確実に実行することができるケーブルの吊架技術を提供することにある。
【課題を解決するための手段】
【００１０】
そこで、本発明では、次の手段を採用した。
（１）すなわち、本発明の通信ケーブル吊架具は、電柱間に通信ケーブルを吊架するにあたり、前記通信ケーブルを前記電柱に取り付けるための通信ケーブル吊架具であって、前記通信ケーブルの少なくとも一部分を包み込み前記通信ケーブルの長手方向に伸縮自在にされる筒状部と、当該筒状部の伸縮動作を補助する補助部とを有することを特徴とする。
【００１１】
本発明の通信ケーブル吊架具によれば、筒状部に吊線付きケーブルを挿入する時は、筒状部を収縮させた状態とし、この状態で吊線付きケーブルを入れ、ケーブル挿通後は筒状部を伸張させる。筒状部を収縮させた状態では、筒状部は短くなるため、吊線付きケーブルを通し易い。また吊線付きケーブルを筒状部に入れた後は筒状部を伸張し、筒状部によって保持される吊線付きケーブルの範囲を拡大する。
【００１２】
筒状部を収縮した時に筒状部の内径が大きくなるようにして筒上部を形成しておけば、筒状部に対する吊線付きケーブルの出し入れが容易になる。また、筒状部を伸張した時には、筒状部に吊線付きケーブルを入れた後の内径が筒状部に挿入されている吊線付きケーブルに当接した状態でケーブルを包み込める程に筒状部の内径が小さくなるよう筒状部を形成すれば、吊線付きケーブルは筒状部によって安定して保持される。よって、これまで吊線付きケーブルを吊架する時に必要とされていた引留具の代わりとなる。但し単なる代用品ではない。筒状部は吊線と通信ケーブルの両方を一度に保持できるので、これまでのように吊線部分と通信ケーブル部分とを裂く必要がないため、それだけ作業効率が向上するからであり、また、通信ケーブルを湾曲させる必要がないので、従来技術で述べたような鳥害を被ることも、また他の通信ケーブルの取付作業等の邪魔にもならないからである。
【００１３】
また、筒状部の伸縮動作を補助する補助部を有するので、筒状部の伸縮作業が簡便になる。よって、高所作業の効率化を図れる。
さらに、筒状部の中に吊線付きケーブルを通した状態で筒状部に対して吊線付きケーブルを移動することも可能であるから、金車として兼用することも可能である。
【００１４】
加えて、ケーブルの本数が多い場合でも、内径の大きな筒状部を用意すれば、一つのケーブル吊架具で複数のケーブルを一束にまとめられる。このため、ケーブルの増加に合わせて電柱に装柱や引留具を増やす必要がなく、よってシンプルで見た目もよくなる。
（２）前記筒状部は、超高分子量ポリエチレンを原料にする繊維材を編組して形成したものが好適である。
【００１５】
筒状部は、超高分子量ポリエチレンを原料にする繊維材を編組して形成したものが好適である。超高分子量ポリエチレンは、強度・弾性・衝撃吸収性、柔軟性・耐摩耗性・耐光性に優れているので、風雪や温度差による悪影響にも十分耐えることができる。
（３）前記補助部は、前記筒状部の長手方向に延びる金具であってもよい。
（４）前記金具は前記電柱に掛止するための掛止部を有する針金であると好適である。針金であるから軽量化を図れ、持ち運びに便利である。また掛止部により電柱へ簡単に引っ掛けることができる。
（５）前記掛止部は、前記針金をその中央部で輪っか部とし、当該輪っか部を、前記筒状部から突出させたものにすると電柱の装柱への掛止が簡単にできて好適である。
（６）前記筒状部に内嵌される管体を有するようにしてもよい。
【００１６】
吊架するケーブルの本数の多寡に拘わらず管体の内周面に沿ってケーブルを押し込めばケーブルは管体に案内されて送られるので、金車を使用していた場合に生じ得る、ケーブルの繰り出しが抑制されてしまうことを防止できる。
（７）また、本発明は、このような通信ケーブル吊架具を用いた通信ケーブルを電柱に取り付ける通信ケーブル吊架方法でもある。
【００１７】
本発明の通信ケーブル吊架方法によれば、通信ケーブル吊架具に既述した作用効果があるので、通信ケーブルを湾曲させる必要がなく、かつ吊架を簡単かつ確実に実行できる。（８）本発明の通信ケーブル吊架方法の具体的なステップとして、次のようなステップがある。
【００１８】
（i）通信ケーブル吊架具の筒状部を補助部に沿って中央側に寄せて収縮させるステップ。
（ii）この状態で通信ケーブルを筒状部に挿入するステップ。
【００１９】
（iii）その後筒状部を伸張させて、筒状部で通信ケーブルを包み込むステップ。
（iv）通信ケーブルを包み込んだ通信ケーブル吊架具を電柱に取り付けるステップ。
【発明の効果】
【００２０】
本発明の通信ケーブル吊架具によれば、通信ケーブルを用いて吊架する場合において、通信ケーブルを湾曲させる必要がなく、かつ吊架を簡単かつ確実に実行できる。
【発明を実施するための最良の形態】
【００２１】
以下、本発明の実施の形態（以下、実施形態）を添付した図面を参照して説明する。
図１は、本発明の通信ケーブル吊架具１を用いて吊線付きケーブル３０６を電柱２００に取着した状態を示す正面図である。
【００２２】
図２は通信ケーブル吊架具１が伸張した状態にある時の斜視図である。
通信ケーブル吊架具１は、８本の超高分子量ポリエチレンを原料にする繊維材１ａ，１ａ・・・を編組して長手方向に伸縮自在な中空円筒形状をしたものであり、その表面には繊維材１ａ，１ａ・・・の編組により幾何模様が形成されているように見える。この実施形態では長手方向及び周方向に菱形が規則的に羅列するように繊維材１ａ，１ａ・・・を編組したものを筒状部３として示す。
【００２３】
繊維材１ａ，１ａ・・・の各々は、それらの両端部が、２本一組で結合され、編組が解けないようにされている。超高分子量ポリエチレンは、強度・弾性・衝撃吸収性、柔軟性・耐摩耗性・耐光性に優れた材質を有する。
【００２４】
また、筒状部３には、筒状部３の伸縮動作を補助する補助部として、中央部が輪っか部５ａとされ、当該輪っか部５ａが、筒状部３の外部に突出された状態でかつ他の部分が前記筒状部３の長手方向に延びるようにされた針金５が挿入されている。また針金５の両端５ｂは折り返されている。前記輪っか部５ａは、通信ケーブル吊架具１を電柱２００の装
柱３０８に掛止する部位である（図１、６参照）。
【００２５】
筒状部３は、図３に示すように、これを収縮した時にはその中に吊線付きケーブル３０６を容易に挿入できる程に内径が大きくなるように、また伸張した時には図２に示すようにその内径が小さくなって筒状部３が吊線付きケーブル３０６に当接状態で包み込めるように、繊維材１ａ，１ａ・・・を編組してある。また、筒状部３は、伸張した時の状態と収縮した時の状態とをそれぞれ維持可能になるように編組してもよい。
【００２６】
次にこのような構成のケーブル吊架具１を用いて、電柱間に吊線付きケーブル３０６を吊架するにあたり、前記通信ケーブル部分３０６ｂ及び通信ケーブル部分３０６ｂを支持する吊線部分３０６ａを予め一体化して形成した吊線付きケーブル３０６を電柱２００に取り付ける通信ケーブル吊架方法について作業者が行う手順を述べる。なお、吊線部分３０６ａ及び通信ケーブル部分３０６ｂは共にそれぞれ吊線３０６ａ’及び光ファイバー３０６ｂ’を被覆材で覆ったものをいうが、これらを吊線および通信ケーブルということがある。
（１）通信ケーブル吊架具１の筒状部３を針金５に沿ってその中央側にある輪っか部５ａまで寄せて収縮させる（図１，図３参照）。この時、筒状部３は、その内径が伸張時よりも大きくなる。
（２）この状態で吊線付きケーブル３０６を筒状部３に挿入する（図４参照）。
（３）作業者が力を抜き筒状部３の収縮状態を解除すると、筒状部３を構成する繊維材１ａ，１ａ・・・の弾性により、筒状部３が収縮前の元の状態に延び、筒状部３の内径が小さくなって筒状部３内に吊線付きケーブルを包含するようになる（図５参照）。
（４）吊線付きケーブルを包含した通信ケーブル吊架具１を作業者がしごいてさらに伸張させ、筒状部３の内径を一層小さくする。この状態で電柱２００に取り付けてある装柱３０８に通信ケーブル吊架具１を取り付ける。この時、輪っか部５ａを装柱３０８のフック３０８ａに掛止し、吊線付きケーブル３０６の電柱２００への取り付け作業を終了する（図６参照）。
【００２７】
次に作用効果を述べる。
既述のように、通信ケーブル吊架具１の筒状部３に吊線付きケーブル３０６を挿入する時は、筒状部３を収縮させた状態とし（図３参照）、この状態で吊線付きケーブル３０６を入れ（図４参照）、ケーブル挿通後は筒状部３を伸張させるが（図５参照）、筒状部３を収縮させた状態では、筒状部３は短くかつ内径が大きくなるため、吊線付きケーブル３０６を通し易い。
【００２８】
また吊線付きケーブル３０６を筒状部３に入れた後は、筒状部３を伸張させて、筒状部３の内径を小さくし、筒状部３によって保持される吊線付きケーブル３０６の範囲を拡大すると、筒状部３と吊線付きケーブル３０６との当接量が増大し、筒状部３と吊線付きケーブル３０６との間の摩擦抵抗が増大するので、筒状部３と吊線付きケーブル１との結合力が高まり筒状部３に吊線付きケーブル３０６が安定して保持される。この状態で電柱２００に取り付けてある装柱３０８に通信ケーブル吊架具１を取り付けることによって、これまで吊線付きケーブル３０６を吊架する時に必要とされていた引留具３１０の代わりとなる。但し単なる代用品ではない。筒状部３は吊線部分３０６ａと通信ケーブル部分３０６ｂの両方を一度に保持できるので、これまでのように吊線部分３０６ａと通信ケーブル部分３０６ｂとを図１２のように裂く必要がなく、それだけ作業効率が高まる。また、通信ケーブル部分３０６ｂを湾曲させる必要がないので、鳥害を被ることも、また他の通信ケーブルの取付作業等の邪魔にもならない。
【００２９】
また、筒状部３の伸縮動作を補助する補助部として針金５を有し、針金５に沿って筒状部３を伸縮させることができるので、筒状部３の伸縮作業が簡便になる。よって作業の効
率化を図れる。
【００３０】
さらに、筒状部３の中を吊線付きケーブル３０６を通した状態で筒状部３に対して吊線付きケーブル３０６を移動することも可能であるから、通信ケーブル吊架具１を金車の代わりに使用することができる（図７）。
【００３１】
加えて、多数のケーブルを吊架する場合でも、内径が元々大きな筒状部３を用意することで、一つの通信ケーブル吊架具１で多数のケーブルを一束にまとめられる。このため、電柱２００に装柱や引留具を増やす必要がなく、吊架状態がシンプルで見た目にもよい。
【００３２】
また、補助部として針金を用いているので軽量化を図れるため、持ち運びに便利である。
さらに金車代わりとして通信ケーブル吊架具１を用いる場合、筒状部３に管体５Ａを内嵌することも考えられる（図８参照）。この場合、吊架するケーブルの本数の多寡に拘わらず管体５Ａの内周面にケーブルを当接させた状態でケーブルを押し込めば、ケーブルは管体５Ａに案内されて送られるようになるので、金車を使用していた場合に生じ得るケーブルの繰り出しが抑制されてしまうことを防止でき、効率よい作業が可能となる。
【００３３】
筒状部３の編組材である繊維材１ａは、超高分子量ポリエチレン製であり、超高分子量ポリエチレンは、強度・弾性・衝撃吸収性、柔軟性・耐摩耗性・耐光性に優れているので、風雪にも十分耐えることができ、また外気の温度差によるケーブルへの悪影響を受けることもない。
【００３４】
そして、繊維材１ａを編組したので、繊維材は相互に密に組み合せられるため、変形性がよいのは勿論、形状維持性も高い。
尚、本発明は、上述の図示例にのみ限定されるものではなく、本発明の要旨を逸脱しない範囲内において種々変更を加え得ることは勿論である。
【図面の簡単な説明】
【００３５】
【図１】本発明の通信ケーブル吊架具を用いて吊線付きケーブルを電柱に取着した状態を示す正面図である。
【図２】本発明の通信ケーブル吊架具を伸張した状態にある時の斜視図である。
【図３】本発明の通信ケーブル吊架具を収縮した状態にある時の斜視図である。
【図４】図３の状態の通信ケーブル吊架具に吊線付きケーブルを挿入する直前の斜視図である。
【図５】通信ケーブル吊架具に吊線付きケーブルを挿入し終えた状態を示す斜視図である。
【図６】吊線付きケーブルを挿入し終えた通信ケーブル吊架具を電柱の装柱に掛止した状態を示す斜視図である。
【図７】電柱間に吊線付きケーブルを本発明の通信ケーブル吊架具を用いて吊架している作業現場の状態を示す図である。
【図８】補助部に管体を用いた場合を示す図である。
【図９】従来のケーブル吊架工法の一例を示す図である。
【図１０】吊線付きケーブルの一部を拡大して示す斜視図である。
【図１１】吊線付きケーブルを用いた従来のケーブル吊架工法の一例を示す図である。
【図１２】吊線付きケーブルの吊線部分と通信ケーブル部分とを裂いた状態を示す図である。
【図１３】電柱間に吊線付きケーブルを金車を用いて吊架している作業現場の状態を示す図である。
【図１４】金車と吊線付きケーブルとの問題点を説明するための斜視図である。
【符号の説明】
【００３６】
１ 通信ケーブル吊架具
１ａ 繊維材
３ 筒状部
５ 針金
５Ａ 管体
５ａ 輪っか部
５ｂ  針金の端部
２００ 電柱
２０２ 吊線
２０３ ケーブル支持線
２０３ａ 中空
２０４ 通信ケーブル
３０６ 吊線付きケーブル
３０６ａ 吊線部分
３０６ａ’ 吊線
３０６ｂ 通信ケーブル部分
３０６ｂ’ 光ファイバー
３０６ｂ”湾曲した通信ケーブル部分
３０８ 装柱
３０８ａ フック
３１０ 引留具
３１２ 繰り出しドラム
３１４ 繰り出しローラ
３１８ ローラ部
３１８ａ ローラ部の端部
３２０ 脚部
Ｓ 隙間
【図１】
2005137153.tif 000003
【図２】
2005137153.tif 000004
【図３】
2005137153.tif 000005
【図４】
2005137153.tif 000006
【図５】
2005137153.tif 000007
【図６】
2005137153.tif 000008
【図７】
2005137153.tif 000009
【図８】
2005137153.tif 000010
【図９】
2005137153.tif 000011
【図１０】
2005137153.tif 000012
【図１１】
2005137153.tif 000013
【図１２】
2005137153.tif 000014
【図１３】
2005137153.tif 000015
【図１４】
2005137153.tif 000016